(57)【要約】【課題】  映像と同期して表示される複数の関連情報から任意の情報を選択可能にし、選択された情報の視認性を高める。【解決手段】  画面構成装置１の登録リスト決定手段７は、ネットワークを介して情報サーバ４から取得した関連情報の一覧中から、ユーザに選択された登録リストを決定しデータ記憶手段１１に記憶する。リスト項目取得手段１０は、前記登録リストの内容情報を示すリスト項目を前記情報サーバ４から取得する。画面表示制御手段１２は、前記リスト項目と前記登録リストとを対応付けたリスト表示を表示画面に表示させる。アクティブリスト更新手段８は、前記リスト表示の登録リスト中、ユーザに選択されたアクティブリストを識別する。前記画面表示制御手段１２は、前記識別されたアクティブリストを前記表示画面中の前記リスト表示と異なる領域に拡大表示させる。【選択図】  図４
2011009978.tif 000002
【特許請求の範囲】
【請求項１】
サーバから提供される映像情報および該映像情報の関連情報を表示装置に表示させるための画面を構成する装置であって、
前記サーバから取得した関連情報の一覧中から、ユーザに選択された登録リストを決定する登録リスト決定手段と、
前記登録リストの内容情報を示すリスト項目を前記サーバから取得するリスト項目取得手段と、
前記リスト項目と前記登録リストとを対応付けたリスト表示を前記画面に表示させる画面表示制御手段と、
前記リスト表示の登録リスト中、ユーザに選択されたアクティブリストを識別するアクティブリスト識別手段と、を備え、
前記画面表示制御手段は、前記識別されたアクティブリストを前記画面中の前記リスト表示と異なる領域に拡大表示させる
ことを特徴とする画面構成装置。
【発明の詳細な説明】
【技術分野】
【０００１】
本発明は、映像情報と該映像情報に関連する文字や画像などの関連情報を同一画面に表示させる技術に関する。
【背景技術】
【０００２】
近年、デジタルデータ放送サービスやＩＰ（Ｉｎｔｅｒｎｅｔ  Ｐｒｏｔｏｃｏｌ）放送サービスなどの多くの人に同一の情報を提供するサービスにおいて、映像と同期して文字や画像といった形式で関連情報や広告などを提供することが可能となっている。
【０００３】
例えば、地上デジタル放送サービスでは、映像と同期してＢＭＬ（Ｂｒｏａｄｃａｓｔ  Ｍａｒｋｕｐ  Ｌａｎｇｕａｇｅ）で記述された放送内容関連情報やニュース・天気予報などの一般的な情報、ならびに映像提供者の情報や広告などを提供することができる。
【０００４】
これに関連して、特許文献１には、映像と該映像に関連した複数の関連情報とを同一画面上に表示させる技術が記載されている。この技術によれば、映像の表示位置やフォントなどを規定した画面構成メタデータおよび映像を再生する受信機の表示能力を示す画面構成識別子に基づいて、受信機に表示させる映像および複数の関連情報の画面レイアウトが決定されている。
【先行技術文献】
【特許文献】
【０００５】
【特許文献１】特開２００７−１３８１９号公報
【発明の概要】
【発明が解決しようとする課題】
【０００６】
しかしながら、特許文献１の技術では、画面構成メタデータや画面構成識別子に応じて映像と複数の関連情報とを表示する画面レイアウトを変更できるものの、ユーザが特に興味を持った関連情報を任意に選択可能としたり、選択された関連情報に強調表示などを施して該情報の視認性を高めたりすることが困難なおそれがある。
【０００７】
本発明は、このような問題を解決するためになされたものであり、映像と同期して表示される複数の関連情報から任意の情報を選択可能にし、選択された情報の視認性を高めることを解決課題としている。
【課題を解決するための手段】
【０００８】
そこで本発明は、前記課題を解決するため、複数の関連情報を表示させる領域とは別にユーザに選択された情報を拡大表示させる領域を同一画面に配置し、選択された情報をユーザに見やすく表示させている。
【０００９】
本発明は、サーバから提供される映像情報および該映像情報の関連情報を表示装置に表示させるための画面を構成する装置であって、前記サーバから取得した関連情報の一覧中から、ユーザに選択された登録リストを決定する登録リスト決定手段と、前記登録リストの内容情報を示すリスト項目を前記サーバから取得するリスト項目取得手段と、前記リスト項目と前記登録リストとを対応付けたリスト表示を前記画面に表示させる画面表示制御手段と、前記リスト表示の登録リスト中、ユーザに選択されたアクティブリストを識別するアクティブリスト識別手段と、を備え、前記画面表示制御手段は、前記識別されたアクティブリストを前記画面中の前記リスト表示と異なる領域に拡大表示させることを特徴とする。
【発明の効果】
【００１０】
本発明によれば、映像と同期して表示される複数の関連情報から任意の情報を選択可能となり、選択された情報の視認性が向上する。
【図面の簡単な説明】
【００１１】
【図１】放送配信システムの構成図。
【図２】同  画面遷移図。
【図３】同  リモコンのボタン割り当て例。
【図４】本発明の実施形態に係る画面構成装置１の構成図。
【図５】同  リスト選択画面でのリスト登録処理の処理フロー。
【図６】同  複数リスト表示画面での画面表示処理の処理フロー。
【図７】同  （ａ）はリスト項目取得処理の処理フロー、（ｂ）は複数リスト画面表示処理の処理フロー、（ｃ）はアクティブリスト更新処理の処理フロー、（ｄ）はカーソル位置更新処理の処理フロー。
【図８】同  複数リスト表示画面の表示例。
【発明を実施するための形態】
【００１２】
図１に示すように、本発明の実施形態に係る画面構成装置１は、テレビ放送やＩＰ放送などの動画コンテンツを配信する動画配信サーバ５および該動画コンテンツに関連する文字情報や画像情報を保存する情報サーバ４とネットワーク経由で接続された放送配信システムを構成している。ここでは、前記放送配信システムはインターネット経由で接続された構成が示されているが、他のネットワークで接続された構成であってもよいものとする。
【００１３】
前記動画配信サーバ５は、テレビ放送やＩＰ放送、ＶＯＤ（Ｖｉｄｅｏ  Ｏｎ  Ｄｅｍａｎｄ）、ビデオ放送などの動画コンテンツ情報をネットワーク経由で配信する。この動画配信サーバ５は、例えば各種放送事業所内に設置された動画配信用のサーバなどで構成される。
【００１４】
前記情報サーバ４には、前記動画配信サーバ５によって配信される動画コンテンツに関連する様々な情報や、番組情報、番組表などの文字・画像情報が保存されている。なお、前記情報サーバ４および動画配信サーバ５はインターネット上の任意のサーバとして構成してもよい。
【００１５】
前記画面構成装置１は、前記動画配信サーバ５から配信された動画コンテンツに関連する文字・画像情報を前記情報サーバ４から取得し、該動画コンテンツおよび文字・画像情報を基に表示画面を構成してディスプレイ２に表示する。
【００１６】
ユーザは、前記画面構成装置１の前面に向けてリモコン（ｒｅｍｏｔｅ  ｃｏｎｔｒｏｌｌｅｒ）３を操作することにより、ディスプレイ２に表示される情報を随時切り替えることができる。
【００１７】
この切り替えによる画面遷移の例を図２に示す。ここではディスプレイ２の表示画面が、動画コンテンツのみを表示する通常画面Ｇ１、ユーザが閲覧したいリストを選択するリスト選択画面Ｇ２、動画コンテンツと複数のリストとを同一画面に表示する複数リスト表示画面Ｇ３に随時切り替えられている。
【００１８】
ここで「リスト」とは、動画コンテンツと同期して表示される文字・画像情報のジャンルを示し、例えば「視聴率ランキング」や「新着情報」などがある。
【００１９】
ユーザは、前記リスト選択画面Ｇ２にて表示されるリストの候補一覧から、閲覧したいリストを選択する。このリストの候補一覧は、予め前記情報サーバ４が保持しているリストの一覧をダウンロードして表示される。ここで選択されたリストは「登録リスト」として前記画面構成装置１に保存される。
【００２０】
このように登録リストが選択されて前記複数リスト表示画面Ｇ３に遷移すると、前記画面構成装置１は、動画コンテンツと複数の前記登録リストとを同一画面に構成し、これをディスプレイ２に表示させる。
【００２１】
このような画面遷移および登録リストの選択は、前記リモコン３の操作をもって行われる。図３は、前記リモコン３のボタン割り当て例を示している。ここではユーザが通常画面Ｇ１にて動画コンテンツを視聴中に「設定」ボタンＴを押下すると、リスト選択画面Ｇ２へ遷移する。また、通常画面Ｇ１で「情報表示」ボタンＶを押下すると、複数リスト表示画面Ｇ３へ遷移する。リスト選択画面Ｇ２および複数リスト表示画面Ｇ３で「戻る」ボタンＲを押下すると、通常画面Ｇ１へ遷移する。
【００２２】
なお、各画面でのカーソル移動や選択・決定は、上下キーＹ、左右キーＸ、および決定キーＳの操作をもって行われる。以下、前記画面構成装置１の具体的構成例を説明する。
【００２３】
＜画面構成装置１の構成例＞
前記画面構成装置１は、ＩＰ放送などの放送信号を一般のテレビで視聴可能な信号に変換するセットトップボックス（Ｓｅｔ  Ｔｏｐ  Ｂｏｘ）などのコンピュータで構成され、ＣＰＵ（Ｃｅｎｔｒａｌ  Ｐｒｏｃｅｓｓｏｒ  Ｕｎｉｔ）、メモリ（ＲＡＭ）、ハードディスクドライブ装置、通信インタフェース、赤外線インタフェースなどのハードウェア資源を備えている。
【００２４】
このハードウェア資源とソフトウェア資源との協働の結果、前記画面構成装置１は、図４に示すように、リモコン受信手段６，登録リスト決定手段７，アクティブリスト更新手段８，カーソル位置更新手段９，リスト項目取得手段１０，データ記憶手段１１，画面表示制御手段１２を実装する。
【００２５】
即ち、前記リモコン受信手段６は、前記赤外線インタフェースを通じて前記リモコン３からキー操作の赤外線信号を受け付け、この信号を前記登録リスト決定手段７，前記アクティブリスト更新手段８，および前記カーソル位置更新手段９へ転送する。
【００２６】
前記登録リスト決定手段７は、前記リスト選択画面Ｇ２に表示されたリスト候補一覧中、ユーザによって選択されたリストを登録リストとして前記データ記憶手段１１に記憶する。このデータ記憶手段１１は、前記メモリなどで実現されている。
【００２７】
前記リスト項目取得手段１０は、画面が前記複数リスト表示画面Ｇ３に遷移する際に、前記データ記憶手段１１に記憶されている登録リストを読み出し、該登録リストのリスト項目を前記情報サーバ４からネットワーク経由で取得する。
【００２８】
ここで「リスト項目」は、登録リストの具体的データを示し、例えば登録リストが「視聴率ランキング」であれば動画コンテンツの視聴率ランキングのデータ（１位：○○○、２位：×××など）が該当する。ここで取得したリスト項目は登録リストに対応付けられ、前記データ記憶手段１１に記憶される。
【００２９】
前記画面表示制御手段１２は、前記データ記憶手段１１に記憶されている登録リスト、該登録リストに対応するリスト項目、およびアクティブリストの位置、カーソル位置を読み出す。
【００３０】
ここで「アクティブリスト」は、複数リスト表示画面Ｇ３上に表示される複数の登録リストのうち、ユーザにより現在選択されている登録リストを示す。初回の処理では、前記データ記憶手段１１に予め記憶されているアクティブリストの位置の初期値を取得する。
【００３１】
また「カーソル」は、アクティブリスト内でのリスト項目の選択に用いられる。初回の処理では同様に前記データ記憶手段１１に予め記憶されているカーソル位置の初期値を取得する。
【００３２】
前記画面表示制御手段１２は、このように読み出した登録リスト、リスト項目、アクティブリストの位置、およびカーソル位置を画面構成情報として複数リスト表示画面Ｇ３を構成し、前記ディスプレイ２に表示する。
【００３３】
前記アクティブリスト更新手段８は、前記ディスプレイ２に表示された複数リスト表示画面Ｇ３上において、ユーザのリモコン３の操作によって変更されたアクティブリストの位置を前記リモコン受信手段６からの信号によって識別し、前記データ記憶手段１１に記憶されているアクティブリストの位置を更新する。
【００３４】
前記カーソル位置更新手段９は、前記複数リスト表示画面Ｇ３上において、ユーザのリモコン３の操作によって変更されたアクティブリスト内のカーソルの位置を前記リモコン受信手段６からの信号によって識別し、前記データ記憶手段１１に記憶されているカーソル位置を更新する。
【００３５】
このように更新されたアクティブリストおよびカーソルの位置は、前記画面表示制御手段１２による次回以降の複数リスト表示画面Ｇ３の構成時に反映される。即ち、この更新後の位置にアクティブリストおよびカーソルが設定された複数リスト表示画面Ｇ３が構成される。
【００３６】
＜登録リスト決定処理＞
以下、リスト選択画面Ｇ２における登録リスト決定処理を図５に基づき説明する。ここでは、ユーザが通常画面Ｇ１を視聴中に前記リモコン３の「設定」ボタンＴを押下し、リスト選択画面Ｇ２に遷移したものとする。
【００３７】
Ｓ０１：ユーザは、リスト選択画面Ｇ２に表示されているリストの候補一覧から、任意のリストを前記リモコン３のキー操作をもって選択する。このときのキー操作の信号は、前記リモコン３から前記リモコン受信手段６を経由して前記登録リスト決定手段７に送信される。
【００３８】
Ｓ０２：前記登録リスト決定手段７は、Ｓ０１で前記リモコン受信手段６からキー操作の信号を受信すると、該信号に基づいて候補一覧から選択されたリスト、即ち登録リストを決定し、前記データ記憶手段１１に記憶する。なお、ここで決定される登録リストは複数であってもよい。
【００３９】
＜複数リスト表示画面Ｇ３構成処理＞
次に、複数リスト表示画面Ｇ３の構成処理を図６に基づき説明する。ここでは、ユーザがリスト選択画面Ｇ２にて登録リストを決定後、通常画面Ｇ１を視聴中に前記リモコン３の「情報表示」ボタンＶを押下し、複数リスト表示画面Ｇ３に遷移する際の処理を説明する。
【００４０】
Ｓ１１：まず、前記リスト項目取得手段１０は、Ｓ０２で前記データ記憶手段１１に記憶された登録リストを読み出す。
【００４１】
Ｓ１２：次に、前記リスト項目取得手段１０は、ネットワークを介して前記情報サーバ４にアクセスし、Ｓ１１で読み出した登録リストの具体的データであるリスト項目を取得する。
【００４２】
即ち、前記リスト項目取得手段１０は、図７（ａ）に示すように、ネットワークを介して前記情報サーバ４にリスト項目の検索要求を行い、検索結果として登録リストに対応するリスト項目を取得する（Ｓ１２ａ）。
【００４３】
例えば、登録リストが「視聴率ランキング」であれば、前記情報サーバ４に格納されているランキングの具体的データとして「１位：○○○、２位：×××」などのデータを取得する。登録リストが複数ある場合は、各登録リストについて同様にリスト項目を取得する。そして、取得したリスト項目を登録リストに対応付けて前記データ記憶手段１１に記憶する（Ｓ１２ｂ）。
【００４４】
Ｓ１３：前記画面表示制御手段１２は、Ｓ１２で取得したリスト項目などの画面構成情報を基に、複数リスト表示画面Ｇ３を構成しディスプレイ２に表示する。
【００４５】
即ち、前記画面表示制御手段１２は、図７（ｂ）に示すように、前記データ記憶手段１１に記憶されている登録リストを読み出し（Ｓ１３ａ）、その後に該登録リストに対応するリスト項目を読み出す（Ｓ１３ｂ）。
【００４６】
次に、前記画面表示制御手段１２は、前記データ記憶手段１１に記憶されているアクティブリストの位置を読み出し（Ｓ１３ｃ）、続いてカーソルの位置を読み出す（Ｓ１３ｄ）。なお、初回の処理では予め前記データ記憶手段１１に記憶されているアクティブリストおよびカーソルの位置の初期値が読み出される。
【００４７】
前記画面表示制御手段１２は、このように前記データ記憶手段１１から読み出した登録リスト、該登録リストに対応するリスト項目、アクティブリストの位置、およびカーソルの位置を画面構成情報とし、該情報に基づいて複数リスト表示画面Ｇ３を構成し、ディスプレイ２に表示する（Ｓ１３ｅ）。
【００４８】
ここで複数リスト表示画面Ｇ３の画面構成例を図８に示す。この複数リスト表示画面Ｇ３は主に３つの領域、即ちコンテンツ表示領域Ｒ、リスト表示領域Ｌ、およびアクティブリスト拡大領域Ｐから構成されている。
【００４９】
前記コンテンツ表示領域Ｒには、前記動画配信サーバ５から配信されるＴＶ放送、ＩＰ放送、ＶＯＤなどの動画コンテンツが表示される。
【００５０】
前記リスト表示領域Ｌには、前記Ｓ１３ａで前記データ記憶手段１１から読み出された登録リスト、即ちユーザがリスト選択画面Ｇ２にて選択した登録リストが複数（ここではリストＡからリストＥまでの５つ）表示されている。この各登録リストには、それぞれリスト項目（−ａａａａａａａａなど）が対応付けられている。
【００５１】
この複数の登録リストのうち、前記Ｓ１３ｃで読み出された位置に該当するリストがアクティブリストとして、例えば太枠などで囲まれて強調表示される。さらに該アクティブリストは、画面右上の前記アクティブリスト表示領域Ｐに拡大表示される。ここではリスト表示領域Ｌの中央に位置する「リストＣ」がアクティブリストとして前記アクティブリスト表示領域Ｐに拡大表示されている。
【００５２】
かかる画面構成により、ユーザはコンテンツ表示領域Ｒで再生される動画コンテンツを視聴しながら、リスト表示領域Ｌに表示される該動画コンテンツに関連する登録リストの概要を確認することができる。また、アクティブリスト表示領域Ｐにはユーザに選択されている登録リストが拡大表示され、ユーザは選択した情報を容易に確認することができる。
【００５３】
また、このアクティブリスト内において、前記Ｓ１３ｄで読み出された位置にカーソルが表示される。このカーソルは、該アクティブリスト内でのリスト項目の選択に用いられる。
【００５４】
なお、リスト表示領域Ｌに表示させる登録リスト数、アクティブリストの強調表示の方法、および各領域Ｒ．Ｌ．Ｐのレイアウトなどは仕様に応じて適宜変更可能である。
【００５５】
Ｓ１４：前記アクティブリスト更新手段８は、Ｓ１３で表示された複数リスト表示画面Ｇ３上でのアクティブリストの変更に伴う現在位置の更新を行う。
【００５６】
即ち、図８の複数リスト表示画面Ｇ３に対してユーザがリモコン３の左右キーＸを押下すると、この操作にしたがってリスト表示領域Ｌ中のアクティブリストが変更される。このとき前記アクティブリスト更新手段８は、前記データ記憶手段１１に記憶されているアクティブリストの位置を更新する。
【００５７】
具体的には、前記アクティブリスト更新手段８は、図７（ｃ）に示すように、リモコン３から前記リモコン受信手段６経由でユーザのキー操作の信号を受信する（Ｓ１４ａ）。
【００５８】
次に、前記アクティブリスト更新手段８は、前記データ記憶手段１１に記憶されているアクティブリストの位置を読み出す（Ｓ１４ｂ）。そして、Ｓ１４ａで受信したキー操作の信号内容に応じて、Ｓ１４ｂで読み出したアクティブリストの位置を更新し（Ｓ１４ｃ）、更新後の位置を前記データ記憶手段１１に記憶する（Ｓ１４ｄ）。なお、このアクティブリストの位置は、例えば左端のリストを基準とした場合の相対位置とすることで、リスト表示領域Ｌに表示される登録リスト数の増減にも対応できる。
【００５９】
このようにリスト表示領域Ｌで新たなアクティブリストが選択されると、この新たなアクティブリストがアクティブリスト表示領域Ｐに拡大表示される。
【００６０】
Ｓ１５：前記カーソル位置更新手段９は、ユーザによりアクティブリスト内のカーソル位置が変更された場合に、前記データ記憶手段１１に記憶されているカーソルの位置を更新する。
【００６１】
即ち、複数リスト表示画面Ｇ３上でユーザがリモコン３の上下キーＹを押下すると、この操作にしたがってアクティブリスト内のカーソル位置が変更される。このとき前記カーソル位置更新手段９は、前記データ記憶手段１１に記憶しているカーソルの位置を更新する。
【００６２】
具体的には、前記カーソル位置更新手段９は、図７（ｄ）に示すように、リモコン３から前記リモコン受信手段６経由でユーザのキー操作の信号を受信する（Ｓ１５ａ）。
【００６３】
次に、前記カーソル位置更新手段９は、前記データ記憶手段１１に記憶されているカーソルの位置を読み出す（Ｓ１５ｂ）。そして、Ｓ１５ａで受信したキー操作の信号内容に応じて、Ｓ１５ｂで読み出したカーソルの位置を更新し（Ｓ１５ｃ）、更新後の位置を前記データ記憶手段１１に記憶する（Ｓ１５ｄ）。なお、このカーソルの位置は、例えば一番上のリスト項目を基準とした場合の相対位置などで表される。
【００６４】
このようにアクティブリスト内でカーソルを移動させてリスト項目を選択し、決定キーＸを押下することにより、選択されたリスト項目に応じた処理が実行される。例えば、選択されたリスト項目が番組名であればその番組がコンテンツ表示領域Ｒに再生され、選択されたリスト項目がニュースのタイトルであれば該ニュースの詳細情報がアクティブリスト表示領域Ｐに表示される。
【００６５】
なお、Ｓ１４およびＳ１５で更新されたアクティブリストおよびカーソルの位置は、次回以降のＳ１３における複数リスト表示画面Ｇ３の構成処理時に読み出される。これにより最新のアクティブリストおよびカーソルの位置が反映された複数リスト表示画面Ｇ３が構成され、ディスプレイ２に表示される。
【００６６】
このように前記画面構成装置１によれば、複数の登録リストを表示する領域とユーザに選択された登録リストを拡大表示する領域とを同一画面に配置することで、リストの情報量を低減させることなくユーザに選択された情報を見やすい大きさで提示することができる。
【００６７】
また、動画コンテンツと同時に関連する文字情報などがリスト表示されるため、該動画コンテンツに関連する情報をユーザに効果的に提示することができる。
【００６８】
一方、ユーザにとっても一度の視認で複数の登録リストの概要を把握できるとともに、選択したリストの情報を容易に把握することができる。
【００６９】
また、複数の登録リストからのアクティブリストの選択操作およびカーソルの移動操作をリモコンの方向キーのみで行うことができ、この点でユーザビリティの向上が期待できる。
【符号の説明】
【００７０】
１…画面構成装置
２…ディスプレイ
３…リモコン
４…情報サーバ
５…動画配信サーバ
６…リモコン受信手段
７…登録リスト決定手段
８…アクティブリスト更新手段（アクティブリスト識別手段）
９…カーソル位置更新手段
１０…リスト項目取得手段
１１…データ記憶手段
１２…画面表示制御手段
Ｌ…リスト表示領域
Ｐ…アクティブリスト表示領域
Ｒ…コンテンツ表示領域
【図１】
2011009978.tif 000003
【図２】
2011009978.tif 000004
【図３】
2011009978.tif 000005
【図４】
2011009978.tif 000006
【図５】
2011009978.tif 000007
【図６】
2011009978.tif 000008
【図７】
2011009978.tif 000009
【図８】
2011009978.tif 000010